(57)【要約】  開閉器（１）は、タンク（２）と、タンク（２）の内部に設けられた固定接触子と往復移動可能とされた可動接触子と、回転によって可動接触子を移動させる開閉シャフト（６）と、タンク（２）の外側に固定されたジャッキ台（３１）と、固定接触子から離れる方向に可動接触子を移動させるように開閉シャフト（６）を回転させる力を蓄勢するトーションバー（９）と、開閉シャフト（６）に着脱可能とされた開閉レバーと、を備え、ジャッキ台（３１）には、開閉レバーに向けて貫通する第１の貫通部（３１ｃ）が形成され、開閉レバーには、ジャッキ台（３１）に向けて貫通する第２の貫通部が形成され、第１の貫通部（３１ｃ）と第２の貫通部とに挿通されたボルトと、ボルトのうち第１の貫通部（３１ｃ）と第２の貫通部とを貫通した部分に取り付けられたナットと、をさらに備える。
2019215885.tif 000002
【特許請求の範囲】
【請求項１】
タンクと、
前記タンクの内部に設けられた固定接触子と、
前記タンクの内部に設けられるとともに、前記固定接触子に接触する位置と前記固定接触子から離れた位置との間を往復移動可能とされた可動接触子と、
前記タンクの外部に設けられて回転可能とされ、回転によって前記可動接触子を移動させる開閉シャフトと、
前記タンクの外側に固定されたジャッキ台と、
前記固定接触子から離れる方向に前記可動接触子を移動させるように前記開閉シャフトを回転させる力を蓄勢するトーションバーと、
前記開閉シャフトに着脱可能とされた開閉レバーと、を備え、
前記ジャッキ台には、前記開閉レバーに向けて貫通する第１の貫通部が形成され、
前記開閉レバーには、前記ジャッキ台に向けて貫通する第２の貫通部が形成され、
前記第１の貫通部と前記第２の貫通部とに挿通されたボルトと、
前記ボルトのうち前記第１の貫通部と前記第２の貫通部とを貫通した部分に取り付けられたナットと、をさらに備えることを特徴とする開閉器。
【請求項２】
前記タンクは、筒状の本体と、前記本体の端部を塞ぐ蓋と、を有し、
前記蓋のうち前記タンクの外側を構成する外側面には、前記外側面から突出して前記ジャッキ台が固定される取付座が形成されていることを特徴とする請求項１に記載の開閉器。
【請求項３】
前記可動接触子に連結されて前記蓋を貫通するロッドと、
前記トーションバーに蓄勢された力を前記開閉シャフトに伝達する操作装置と、をさらに備え、
前記タンクは、第１のタンクと、前記第１のタンクの隣に並べて配置された第２のタンクと、前記第２のタンクに対して前記第１のタンクの反対側に並べて配置された第３のタンクと、を有しており、
前記取付座は、前記ロッドの貫通方向に沿って見た場合に、前記ロッドが前記蓋を貫通する位置からずらした位置に形成され、
前記第１のタンクが有する前記蓋は、前記ロッドが前記蓋を貫通する位置よりも前記第２のタンク側に前記取付座が位置する姿勢で設けられ、
前記第２のタンクが有する前記蓋は、前記ロッドが前記蓋を貫通する位置よりも前記第１のタンク側に前記取付座が位置する姿勢で設けられ、
前記第３のタンクが有する前記蓋は、前記ロッドが前記蓋を貫通する位置よりも前記取付座のほうが前記第２のタンクから離れて位置する姿勢で設けられ、
前記操作装置は、前記第１のタンクに設けられた取付座と、前記第２のタンクに設けられた取付座とに固定され、
前記ジャッキ台は、前記第３のタンクに設けられた取付座に固定されることを特徴とする請求項２に記載の開閉器。
【請求項４】
前記ジャッキ台のうち、前記ナットと対向する部分には前記開閉シャフトの回転軸と平行な軸を中心軸とする円弧状のジャッキ側凹部が設けられ、
前記開閉レバーのうち前記ボルトの頭部と対向する部分には、前記開閉シャフトの回転軸と平行な軸を中心軸とする円弧状のレバー側凹部が設けられ、
前記ボルトの頭部と前記レバー側凹部との間に設けられて、前記ボルトの軸部が挿通されるとともに前記レバー側凹部に当接する円弧面が形成されたレバー用アダプタと、
前記ナットと前記ジャッキ側凹部との間に設けられて、前記ボルトの軸部が挿通されるとともに前記ジャッキ側凹部に当接する円弧面が形成されたジャッキ側アダプタと、を備えることを特徴とする請求項１から３のいずれか１つに記載の開閉器。
【請求項５】
前記ナットと前記ジャッキ側アダプタとの間に設けられたスラストベアリングをさらに備えることを特徴とする請求項４に記載の開閉器。
【請求項６】
前記開閉シャフトには、多角形形状の凸部が形成され、
前記開閉レバーには、多角形の貫通穴が形成され、
前記凸部が前記貫通穴に嵌ることを特徴とする請求項１から５のいずれか１つに記載の開閉器。
【請求項７】
前記開閉シャフトには、多角形形状の凹部が形成され、
前記開閉レバーには、多角形の凸部が形成され、
前記凸部が前記凹部に嵌ることを特徴とする請求項１から５のいずれか１つに記載の開閉器。
【発明の詳細な説明】
【技術分野】
【０００１】
本発明は、開閉可能な接点をタンクの内部に有する開閉器に関するものである。
【背景技術】
【０００２】
変電所または開閉所に設置されて、接点を開閉させる開閉器には、特許文献１に開示されているように、トーションバーを備えたものが知られている。このような開閉器では、トーションバーに加えられたねじりによって蓄勢されたエネルギーを用いて接点の開閉動作を行わせている。
【先行技術文献】
【特許文献】
【０００３】
【特許文献１】特許第６２３９１９３号公報
【発明の概要】
【発明が解決しようとする課題】
【０００４】
開閉器では、接点を構成する固定接触子および可動接触子を交換する等のメンテナンスを行う際に、接点に開閉動作をさせる場合がある。一般的に、可動接触子には、トーションバーから付勢力が加えられており、その付勢力に抗して可動接触子を移動させることは容易ではなく、大掛かりな操作機構を設ける必要があった。【０００５】
本発明は、上記に鑑みてなされたものであって、トーションバーからの付勢力に抗して可動接触子を容易に移動させることのできる開閉器を得ることを目的とする。
【課題を解決するための手段】
【０００６】
上述した課題を解決し、目的を達成するために、本発明にかかる開閉器は、タンクと、タンクの内部に設けられた固定接触子と、タンクの内部に設けられるとともに、固定接触子に接触する位置と固定接触子から離れた位置との間を往復移動可能とされた可動接触子と、タンクの外部に設けられて回転可能とされ、回転によって可動接触子を移動させる開閉シャフトと、タンクの外側に固定されたジャッキ台と、固定接触子から離れる方向に可動接触子を移動させるように開閉シャフトを回転させる力を蓄勢するトーションバーと、開閉シャフトに着脱可能とされた開閉レバーと、を備え、ジャッキ台には、開閉レバーに向けて貫通する第１の貫通部が形成され、開閉レバーには、ジャッキ台に向けて貫通する第２の貫通部が形成され、第１の貫通部と第２の貫通部とに挿通されたボルトと、ボルトのうち第１の貫通部と第２の貫通部とを貫通した部分に取り付けられたナットと、をさらに備える。
【発明の効果】
【０００７】
本発明にかかる開閉器によれば、トーションバーからの付勢力に抗して可動接触子を容易に移動させることができるという効果を奏する。
【図面の簡単な説明】
【０００８】
【図１】本発明の実施の形態１にかかる開閉器の正面図
【図２】実施の形態１にかかる開閉器の平面図
【図３】図１に示すＩＩＩ−ＩＩＩ線に沿った断面図
【図４】図１に示すＩＶ−ＩＶ線に沿った断面図
【図５】実施の形態１における開閉シャフトの端部を拡大した図
【図６】実施の形態１におけるジャッキ台の側面図
【図７】実施の形態１におけるジャッキ台の正面図
【図８】実施の形態１における開閉レバーの正面図
【図９】図８に示す矢印ＩＸに沿って開閉レバーを見た図
【図１０】実施の形態１におけるジャッキ用アダプタの正面図
【図１１】図１０に示す矢印ＸＩに沿ってジャッキ用アダプタを見た図
【図１２】図１０に示す矢印ＸＩＩに沿ってジャッキ用アダプタを見た図
【図１３】レバー用アダプタの正面図
【図１４】図１３に示す矢印ＸＩＶに沿ってレバー用アダプタを見た図
【図１５】図１３に示す矢印ＸＶに沿ってレバー用アダプタを見た図
【図１６】実施の形態１における開閉ナットの側面図
【図１７】図１６に示す矢印ＸＶＩＩに沿って開閉ナットを見た図
【図１８】図４に示す状態よりも開閉ナットを締め込んだ状態を示す図
【図１９】図１８に示すＸＩＸ−ＸＩＸ線に沿った断面図
【図２０】実施の形態１における開閉シャフトの変形例を示す図
【図２１】実施の形態１における開閉レバーの変形例を示す図
【図２２】図２１に示す矢印ＸＸＩＩに沿って開閉レバーを見た図
【図２３】変形例にかかる開閉シャフトと開閉レバーとを示す図であって図１９に相当する状態を示す図
【発明を実施するための形態】
【０００９】
以下に、本発明の実施の形態にかかる開閉器を図面に基づいて詳細に説明する。なお、この実施の形態によりこの発明が限定されるものではない。
【００１０】
実施の形態１．
図１は、本発明の実施の形態１にかかる開閉器の正面図である。図２は、実施の形態１にかかる開閉器の平面図である。図３は、図１に示すＩＩＩ−ＩＩＩ線に沿った断面図である。図４は、図１に示すＩＶ−ＩＶ線に沿った断面図である。開閉器１は、第１のタンク２ａ、第２のタンク２ｂ、第３のタンク２ｃの３つのタンクを備える。なお、３つのタンク２ａ〜２ｃを区別せずに単にタンク２と称する場合もある。３つのタンク２ａ〜２ｃは、直線状に並べて配置される。３つのタンク２ａ〜２ｃが並べられた方向をＸ軸方向とする。
【００１１】
タンク２は、筒状の本体２１と、本体２１の端部を塞ぐ蓋２２とを有する。タンク２の内部は密閉空間となっている。タンク２の内部には、絶縁ガスが封入されていてもよいし、外気と同じ空気が封入されていてもよい。また、タンク２の内部は真空であってもよい。
【００１２】
蓋２２には、後述する操作装置の筐体またはジャッキ台を固定する取付座２３が設けられている。蓋２２と取付座２３とは一体に形成されている。タンク２の内部には、固定接触子３と可動接触子４とが設けられている。固定接触子３は、図示を省略した絶縁体を介してタンク２の内部に固定されている。
【００１３】
可動接触子４は、固定接触子３と接触する位置と、固定接触子３から離れた位置との間を往復移動可能とされている。可動接触子４と固定接触子３とは、互いに接離可能な回路接点を構成する。開閉器１は、タンク２ａ〜２ｃのそれぞれの内部に可動接触子４と固定接触子３からなる回路接点が設けられた三相分離型の開閉器となっている。可動接触子４の移動方向は、Ｘ軸と垂直な方向となっている。可動接触子４の移動方向をＹ軸方向とする。また、Ｘ軸およびＹ軸に垂直な方向をＺ軸方向とする。
【００１４】
可動接触子４には、蓋２２を貫通してタンク２の外部に延びる接触子用ロッド５が連結されている。接触子用ロッド５は、タンク２の中心を通って蓋２２を貫通する。タンク２の外部には、Ｘ軸と平行な回転軸を中心に回転可能に開閉シャフト６が設けられている。開閉シャフト６は、Ｘ軸と平行な方向に延びる棒状の部材である。
【００１５】
図５は、実施の形態１における開閉シャフトの端部を拡大した図である。図４および図５に示すように、開閉シャフト６の端部には、断面が六角形形状となる凸部６ａが形成されている。開閉シャフト６には、開閉シャフト６とともに回転するシャフト用第１レバー７とシャフト用第２レバー８とが設けられている。
【００１６】
シャフト用第１レバー７と接触子用ロッド５とは、リンク機構１６によって連結されている。シャフト用第１レバー７と接触子用ロッド５とがリンク機構１６によって連結されていることで、開閉シャフト６の回転方向に応じて、可動接触子４が固定接触子３と接触する方向または固定接触子３から離れる方向に移動する。具体的には、図３および図４に示す状態で、開閉シャフト６が時計方向に回転することで、可動接触子４が固定接触子３と接触する方向に移動する。また、開閉シャフト６が反時計方向に回転することで、可動接触子４が固定接触子３から離れる方向に移動する。
【００１７】
シャフト用第１レバー７とシャフト用第２レバー８は、タンク２ａ〜２ｃに設けられた可動接触子４のそれぞれに対応して設けられている。したがって、開閉シャフト６を回転させることで、タンク２ａ〜２ｃの中に設けられた可動接触子４を一括して操作することが可能となる。すなわち、開閉シャフト６を回転させることで、タンク２ａ〜２ｃの内部に設けられた回路接点を開閉させることができる。
【００１８】
開閉器１は、遮断ばねである遮断用トーションバー９を備える。遮断用トーションバー９は、Ｘ軸と平行に延びる棒状のばねである。遮断用トーションバー９は、Ｘ軸と平行な回転軸を中心としてねじられることで、ねじられた姿勢から復帰しようとする力が蓄勢される。
【００１９】
遮断用トーションバー９には、遮断シャフト１０が連結されている。図３において、Ｘ軸と平行な回転軸を中心に反時計方向に遮断シャフト１０を回転することで、遮断用トーションバー９がねじられて遮断用トーションバー９に力が蓄勢される。
【００２０】
遮断シャフト１０には、遮断レバー１１が連結されている。遮断レバー１１は、遮断シャフト１０とともに回転する。遮断シャフト１０と遮断レバー１１とは、遮断ロッド１２によって連結されている。遮断シャフト１０と遮断レバー１１とが遮断ロッド１２によって連結されていることで、遮断シャフト１０の回転方向に応じて、シャフト用第２レバー８を回転させることができる。
【００２１】
すなわち、遮断シャフト１０の回転によって、シャフト用第２レバー８、開閉シャフト６、シャフト用第１レバー７、および接触子用ロッド５を介して遮断シャフト１０と連結された可動接触子４を移動させることができる。上述したように、遮断シャフト１０には、時計方向に回転しようとする力が加えられているため、可動接触子４には固定接触子３から離れる方向に力が加えられていることになる。
【００２２】
開閉器１は、投入ばねである投入用トーションバー１３を備える。投入用トーションバー１３は、遮断用トーションバー９と同様に、Ｘ軸に平行な回転軸を中心にねじられて力を蓄勢する。開閉器１は、遮断用トーションバー９の動作と投入用トーションバー１３の動作と可動接触子４の動作とを連携させる連携機構を備える。なお、連携機構の図示は省略している。投入用トーションバー１３に蓄勢された力が解放されると、可動接触子４が固定接触子３に接触する方向に移動し、可動接触子４が固定接触子３に接触することで回路接点が閉じられる。連携機構は、投入用トーションバー１３に蓄勢された力が解放された際に、その力を利用して遮断用トーションバー９をねじって力を蓄勢させる。その後、遮断用トーションバー９に蓄勢された力を解放することで、可動接触子４が固定接触子３から離れる方向に移動し、可動接触子４が固定接触子３から離れることで回路接点が開かれる。
【００２３】
本実施の形態では、回路接点が開かれた状態において、遮断用トーションバー９に蓄勢された力は完全に解放されていない状態となる。すなわち、図３に示すように回路接点が開いた状態では、遮断用トーションバー９は反時計方向にねじられた状態であり、時計方向に回転しようとする力が加えられている。これにより、遮断シャフト１０には、常に時計方向に回転しようとする力が加えられている。なお、投入用トーションバー１３では、蓄勢された力は回路接点を閉じる際に解放されるが、完全には解放されていない状態となる。投入用トーションバー１３への力の蓄勢は、図示を省略した電動機によって投入用トーションバー１３をねじることで行われる。また、投入用トーションバー１３への力の蓄勢は、回路接点を開いた後に行われる。したがって、回路接点が開かれただけでは、投入用トーションバー１３に力は蓄勢されない。
【００２４】
開閉器１は、遮断シャフト１０、遮断レバー１１、遮断ロッド１２、図示を省略した連携機構を内部に収容する筐体１４を備える。遮断シャフト１０、遮断レバー１１、遮断ロッド１２、図示を省略した連携機構、および筐体１４は、可動接触子４を移動させる操作装置１５を構成する。筐体１４は、第１のタンク２ａの蓋２２に設けられた取付座２３および第２のタンク２ｂの蓋２２に設けられた取付座２３に図示を省略したボルトを用いて固定されている。
【００２５】
開閉器１では、可動接触子４および固定接触子３の交換等を行うメンテナンスが行われる場合がある。メンテナンスを行った際に、可動接触子４を移動させる場合がある。例えば、可動接触子４を移動させることで回路接点を開閉させて、動作の確認を行う必要がある場合である。しかしながら、上述したように接点開路を開いた後も遮断用トーションバー９に力が蓄勢されているため、その力に抗して可動接触子４を手動で移動させることが難しい場合がある。そこで、本実施の形態１では、手動で容易に可動接触子４を移動させる操作ユニットを開閉器１に設けることが可能となっている。
【００２６】
次に、操作ユニットについて説明する。操作ユニットは、ジャッキ台３１と、開閉レバー３２と、開閉ボルト３３と、ジャッキ用アダプタ３４と、レバー用アダプタ３５と、スラストベアリング３６と、開閉ナット３７とを備える。
【００２７】
ジャッキ台３１は、第３のタンク２ｃの蓋２２に設けられた取付座２３に図示を省略したボルトで固定される。図１に示すように、矢印Ｙに沿った方向から見て、ジャッキ台３１は取付座２３よりも開閉シャフト６側に突出している。
【００２８】
図６は、実施の形態１におけるジャッキ台の側面図である。図７は、実施の形態１におけるジャッキ台の正面図である。ジャッキ台３１には、取付座２３に固定される側の第１面３１ａから反対の第２面３１ｂに向けて貫通する貫通部３１ｃが形成されている。貫通部３１ｃは第１の貫通部である。本実施の形態１では、貫通部３１ｃは溝である。ジャッキ台３１の第２面３１ｂのうち貫通部３１ｃを囲む部分には、Ｘ軸に沿って見た場合に円弧形状となるジャッキ側凹部３１ｄが形成されている。ジャッキ側凹部３１ｄは、開閉ナット３７と対向する領域に形成されていると換言できる。ジャッキ側凹部３１ｄが形成する円弧面の中心軸は、開閉シャフト６の回転軸と平行である。
【００２９】
図８は、実施の形態１における開閉レバーの正面図である。図９は、図８に示す矢印ＩＸに沿って開閉レバーを見た図である。開閉レバー３２には、第３のタンク２ｃ側を向く第１面３２ａから反対の第２面３２ｂに向けて貫通する貫通部３２ｃが形成されている。貫通部３２ｃは第２の貫通部である。本実施の形態１では、貫通部３２ｃは溝である。開閉レバー３２の第１面３２ａのうち貫通部３２ｃを囲む部分には、Ｘ軸に沿って見た場合に円弧形状となるレバー側凹部３２ｄが形成されている。レバー側凹部３２ｄは、開閉ボルト３３の頭部３３ａと対向する領域に形成されているとも換言できる。レバー側凹部３２ｄが形成する円弧面の中心軸は、開閉シャフト６の回転軸と平行である。開閉レバー３２には、Ｘ軸に沿った方向に貫通された六角形形状の貫通穴３２ｅが形成されている。
【００３０】
開閉レバー３２の貫通穴３２ｅに、開閉シャフト６の端部に形成された凸部６ａを差し込むことで、開閉シャフト６の端部に開閉レバー３２を装着することができる。貫通穴３２ｅに凸部６ａが嵌まることで、開閉レバー３２を回転させれば開閉シャフト６を回転させることができる。
【００３１】
開閉レバー３２が開閉シャフト６の端部に装着された状態で、貫通部３１ｃは開閉レバー３２に向けてジャッキ台３１を貫通する。また、開閉レバー３２が開閉シャフト６の端部に装着された状態で、貫通部３２ｃはジャッキ台３１に向けて開閉レバー３２を貫通する。
【００３２】
図４に示すように、ジャッキ用アダプタ３４は、ジャッキ台３１のジャッキ側凹部３１ｄ部分に取り付けられる。図１０は、実施の形態１におけるジャッキ用アダプタの正面図である。図１１は、図１０に示す矢印ＸＩに沿ってジャッキ用アダプタを見た図である。図１２は、図１０に示す矢印ＸＩＩに沿ってジャッキ用アダプタを見た図である。
【００３３】
ジャッキ用アダプタ３４は、円筒形状となっている。ジャッキ用アダプタ３４の外周面には、ジャッキ台３１のジャッキ側凹部３１ｄの形状に沿って当接する当接面３４ａが形成されている。当接面３４ａは、ジャッキ側凹部３１ｄと同様に円弧面となっている。当接面３４ａとジャッキ側凹部３１ｄとの当接は、円弧面同士の当接であるため、ジャッキ用アダプタ３４の姿勢を、円弧面の中心軸を中心に回転させるように異ならせることができる。
【００３４】
ジャッキ用アダプタ３４の内周面には段差が形成されており、ジャッキ用アダプタ３４に形成された貫通穴３４ｂは、ジャッキ台３１側の径のほうが、ジャッキ台３１側と反対側の径よりも小さくなっている。
【００３５】
図４に示すように、レバー用アダプタ３５は、開閉レバー３２のレバー側凹部３２ｄ部分に取り付けられる。図１３は、レバー用アダプタの正面図である。図１４は、図１３に示す矢印ＸＩＶに沿ってレバー用アダプタを見た図である。図１５は、図１３に示す矢印ＸＶに沿ってレバー用アダプタを見た図である。
【００３６】
レバー用アダプタ３５は、円筒形状となっている。レバー用アダプタ３５の外周面には、開閉レバー３２のレバー側凹部３２ｄの形状に沿って当接する当接面３５ａが形成されている。当接面３５ａは、レバー側凹部３２ｄと同様に円弧面となっている。当接面３５ａとレバー側凹部３２ｄとの当接は、円弧面同士の当接であるため、レバー用アダプタ３５の姿勢を、円弧面の中心軸を中心に回転させるように異ならせることができる。レバー用アダプタ３５には貫通穴３５ｂが形成されている。
【００３７】
スラストベアリング３６は、円環形状となっている。図４に示すように、スラストベアリング３６は、開閉ナット３７とジャッキ用アダプタ３４とに挟まれる。スラストベアリング３６は、開閉ナット３７とジャッキ用アダプタ３４とからスラストベアリング３６に圧縮力が加わった状態であっても、開閉ナット３７を円滑に回転させるためのものである。
【００３８】
開閉ボルト３３は、頭部３３ａと軸部３３ｂとを有する。開閉ボルト３３は、頭部３３ａを開閉レバー３２側にして開閉レバー３２の貫通部３２ｃとジャッキ台３１の貫通部３１ｃとに軸部３３ｂが挿通される。図４に示すように、軸部３３ｂは、レバー用アダプタ３５の貫通穴３５ｂと、ジャッキ用アダプタ３４の貫通穴３４ｂにも挿通される。
【００３９】
開閉ナット３７は、開閉ボルト３３の軸部３３ｂに取り付けられる。図１６は、実施の形態１における開閉ナットの側面図である。図１７は、図１６に示す矢印ＸＶＩＩに沿って開閉ナットを見た図である。開閉ナット３７は、鍔部３７ａを有している。鍔部３７ａよりも一方側となる一方部３７ｂが、ジャッキ用アダプタ３４の貫通穴３４ｂに差し込まれる。鍔部３７ａよりも他方側となる他方部３７ｃは、ラチェット３８等の工具が嵌まる形状となっている。例えば、図１７に示すように六角形形状となっている。
【００４０】
ラチェット３８等の工具を用いて開閉ナット３７を開閉ボルト３３の軸部３３ｂに締め込むことで、開閉レバー３２のレバー側凹部３２ｄがジャッキ台３１に近づくように開閉レバー３２を回転させることができる。このとき、開閉ナット３７の鍔部３７ａとジャッキ用アダプタ３４とに圧縮力が加わるが、間にスラストベアリング３６が挟み込まれているので、開閉ナット３７を円滑に回転させることが可能となる。
【００４１】
図１８は、図４に示す状態よりも開閉ナットを締め込んだ状態を示す図である。図１９は、図１８に示すＸＩＸ−ＸＩＸ線に沿った断面図である。図１８に示すように、開閉ナット３７を締めつけることで、開閉ボルト３３の頭部３３ａと開閉ナット３７との距離が縮められるため、開閉シャフト６およびシャフト用第１レバー７を回転させて可動接触子４を固定接触子３に接触させることができる。
【００４２】
ラチェット３８等の工具を用いて開閉ナット３７を締め付けることで可動接触子４を固定接触子３に接触させることができるので、工具等を用いずに可動接触子４を移動させる場合に比べて大きな力を得やすいため、遮断用トーションバー９から可動接触子４に加えられる力に抗して容易に可動接触子４を移動させることが可能となる。また、ジャッキ台３１と開閉レバー３２を取付座２３および開閉シャフト６に取り付ける簡素な構造であるため、大掛かりな操作機構を不要として、省スペース化、低コスト化を図ることができる。
【００４３】
一方、開閉ナット３７を緩めた場合には、開閉ボルト３３の頭部３３ａと開閉ナット３７との距離が広がる。ここで、遮断用トーションバー９に蓄勢された力によって開閉シャフト６には、図１８において反時計方向に回転させる力が加えられているため、開閉ボルト３３の頭部３３ａと開閉ナット３７との距離の広がりに合わせて開閉シャフト６と開閉レバー３２とが反時計方向に回転し、可動接触子４が固定接触子３から離れる。
【００４４】
メンテナンスが終了した場合には、開閉レバー３２およびジャッキ台３１を取り外すことで、通常の動作状態に戻すことができる。開閉シャフト６に開閉レバー３２が取り付けられたままであると、開閉シャフト６の慣性モーメントが大きくなり、通常の動作時に開閉シャフト６の回転速度が遅くなってしまうことで、可動接触子４の移動速度が遅くなってしまう場合がある。開閉器１では、回路接点の高速投入、高速遮断が要求される。本実施の形態１では、メンテナンス時以外には開閉レバー３２を開閉シャフト６から取り外すことができるので、慣性モーメントの増大による可動接触子４の移動速度の低下を抑えることができる。
【００４５】
また、本実施の形態１では、図１に示すように、タンク２の蓋２２に設けられた取付座２３を、操作ユニットの筐体１４の固定と、ジャッキ台３１の固定に用いている。具体的には、取付座２３は、蓋２２に対して、接触子用ロッド５が貫通する部分、すなわちタンク２の中心部分からずれた位置に形成されている。そして、第１のタンク２ａの蓋２２は、接触子用ロッド５が貫通する部分よりも第２のタンク２ｂ側に取付座２３が位置する姿勢で設けられる。また、第２のタンク２ｂの蓋２２は、接触子用ロッド５が貫通する部分よりも第１のタンク２ａ側に取付座２３が位置する姿勢で設けられる。この第１のタンク２ａの取付座２３と第２のタンク２ｂの取付座２３とに操作装置１５が固定される。また、第３のタンク２ｃの取付座２３は、接触子用ロッド５が貫通する部分よりも取付座２３が第２のタンク２ｂから離れて位置する姿勢で設けられる。この第３のタンク２ｃの取付座２３にジャッキ台３１が固定される。このように固定することで、共通の蓋２２の姿勢を異ならせるだけで、操作装置１５とジャッキ台３１とを固定することができる。すなわち、蓋２２の共通化によって、開閉器１の製造コストの抑制を図ることができる。なお、タンク２の中心部分から取付座２３がずれる距離Ｌは、５０ｍｍ〜５００ｍｍであることが好ましい。
【００４６】
また、図４と図１８に示すように、開閉ナット３７の締め込みの状態によって、開閉ボルト３３の軸部３３ｂとジャッキ台３１および開閉レバー３２とがなす角度が異なる。本実施の形態１では、ジャッキ用アダプタ３４と、レバー用アダプタ３５とが、開閉ナット３７の締め込みに応じて回転することで角度の変化に対応可能となっている。
【００４７】
図２０は、実施の形態１における開閉シャフトの変形例を示す図である。図２１は、実施の形態１における開閉レバーの変形例を示す図である。図２２は、図２１に示す矢印ＸＸＩＩに沿って開閉レバーを見た図である。図２３は、変形例にかかる開閉シャフトと開閉レバーとを示す図であって図１９に相当する状態を示す図である。
【００４８】
図２０から図２３に示すように、開閉シャフト６の端部に凹部６ｂを形成し、凹部６ｂに嵌る凸部３２ｆを開閉レバー３２に形成してもよい。このように構成した場合であっても、開閉レバー３２を開閉シャフト６に着脱可能としつつ、開閉レバー３２で開閉シャフト６を回転させることができる。
【００４９】
なお、本実施の形態１では、開閉シャフト６の端部に開閉レバー３２を取り付ける例を挙げて説明したが、これに限られない。例えば、図１に戻って、第２のタンク２ｂに向けて開閉シャフト６から延びるシャフト用第１レバー７と第３のタンク２ｃに向けて開閉シャフト６から延びるシャフト用第１レバー７との間となる部分で、開閉シャフト６に開閉レバー３２を取り付けるようにしてもよい。この場合、ジャッキ台３１も、第２のタンク２ｂに向けて開閉シャフト６から延びるシャフト用第１レバー７と第３のタンク２ｃに向けて開閉シャフト６から延びるシャフト用第１レバー７との間に設ける必要がある。そのため、例えばＺ−Ｘ面内で蓋２２を１８０度回転させることで、第２のタンク２ｂに向けて開閉シャフト６から延びるシャフト用第１レバー７と第３のタンク２ｃに向けて開閉シャフト６から延びるシャフト用第１レバー７との間に取付座２３を設けて、その取付座２３にジャッキ台３１を固定してもよい。また、開閉シャフト６の一部に断面が六角形形状となる部分を設け、断面が六角形形状である部分を、分割された開閉レバーで挟み込むように構成することで、開閉レバーを着脱可能としてもよい。
【００５０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５１】
１  開閉器、２  タンク、２ａ  第１のタンク、２ｂ  第２のタンク、２ｃ  第３のタンク、３  固定接触子、４  可動接触子、５  接触子用ロッド、６  開閉シャフト、６ａ  凸部、６ｂ  凹部、７  シャフト用第１レバー、８  シャフト用第２レバー、９  遮断用トーションバー、１０  遮断シャフト、１１  遮断レバー、１２  遮断ロッド、１３  投入用トーションバー、１４  筐体、１５  操作装置、１６  リンク機構、２１  本体、２２  蓋、２３  取付座、３１  ジャッキ台、３１ａ  第１面、３１ｂ  第２面、３１ｃ  貫通部、３１ｄ  ジャッキ側凹部、３２  開閉レバー、３２ａ  第１面、３２ｂ  第２面、３２ｃ  貫通部、３２ｄ  レバー側凹部、３２ｅ  貫通穴、３２ｆ  凸部、３３  開閉ボルト、３３ａ  頭部、３３ｂ  軸部、３４  ジャッキ用アダプタ、３４ａ  当接面、３４ｂ  貫通穴、３５  レバー用アダプタ、３５ａ  当接面、３５ｂ  貫通穴、３６  スラストベアリング、３７  開閉ナット、３７ａ  鍔部、３７ｂ  一方部、３７ｃ  他方部、３８  ラチェット。
【図１】
2019215885.tif 000003
【図２】
2019215885.tif 000004
【図３】
2019215885.tif 000005
【図４】
2019215885.tif 000006
【図５】
2019215885.tif 000007
【図６】
2019215885.tif 000008
【図７】
2019215885.tif 000009
【図８】
2019215885.tif 000010
【図９】
2019215885.tif 000011
【図１０】
2019215885.tif 000012
【図１１】
2019215885.tif 000013
【図１２】
2019215885.tif 000014
【図１３】
2019215885.tif 000015
【図１４】
2019215885.tif 000016
【図１５】
2019215885.tif 000017
【図１６】
2019215885.tif 000018
【図１７】
2019215885.tif 000019
【図１８】
2019215885.tif 000020
【図１９】
2019215885.tif 000021
【図２０】
2019215885.tif 000022
【図２１】
2019215885.tif 000023
【図２２】
2019215885.tif 000024
【図２３】
2019215885.tif 000025
【国際調査報告】
2019215885.tif 000026
2019215885.tif 000027
2019215885.tif 000028
2019215885.tif 000029